(57)【要約】【課題】筐体の薄型化、小型化を妨げない携帯端末を提供する。【解決手段】携帯端末１０は、キー本体２７および押し子２８を有するキー２６と、スイッチ部材２９との間に防水部材３１が配置されている。防水部材３１は、底部３２Ｂおよび筒部３２Ａを有する第１部材３２と、筒部３２Ａの外側面３２Ｃに設けられて第２貫通孔２４の内面２４Ａに密着する止水部３３と、第１部材３２に連結されて第２壁部１４の表面１４Ａに面当接する第２部材３４と、第２部材３４に連結されてキー本体２７の裏面２７Ａに対して弾性的に接触する第３部材３５と、第１部材３２に連結されて押し子２８に係合する第４部材３６とを有する。【選択図】図３
2013054994.tif 000002
【特許請求の範囲】
【請求項１】
筐体と、
前記筐体の外側に配置され、第１貫通孔が設けられた第１壁部と、
前記筐体の内側に配置され、第２貫通孔が設けられた第２壁部と、
前記第１貫通孔にキー本体が収容されるとともに、前記キー本体に連結されて前記第２貫通孔に押し子が配置されるキーと、
前記第２壁部の内側に配置されたスイッチ部材と、
前記キーと、前記スイッチ部材との間に配置された防水部材と、を備え、
前記防水部材が、
有底筒状に形成され、底部が前記押し子の先端に接触するとともに筒部が前記第２貫通孔および前記押し子間に配置される第１部材と、
前記第１部材の前記筒部の外側面に設けられ、前記第２貫通孔の内面に密着する止水部と、
前記第１部材に連結され、前記キー本体の裏面および前記第２壁部の表面のうちの一方に面当接する第２部材と、
前記第２部材に連結され、前記キー本体の裏面および前記第２壁部の表面のうちの他方に対して弾性的に接触する第３部材と、
前記第１部材に連結され、前記押し子に係合する第４部材とを有する携帯端末。
【請求項２】
請求項１に記載の携帯端末において、
前記第４部材が、前記押し子の周囲を囲む筒状である携帯端末。
【請求項３】
請求項１または請求項２に記載の携帯端末において、
前記第２部材が前記第２壁部の表面に面当接している携帯端末。
【請求項４】
請求項２または請求項３に記載の携帯端末において、
前記第３部材が前記第２部材の端部に連結され、かつ、前記押し子に対して前記第３部材の先端が基端よりも離れている携帯端末。
【請求項５】
請求項２または請求項３に記載の携帯端末において、
前記第１部材に連結された前記第２部材の基端と先端との間の中央部に前記第３部材が連結され、かつ、前記押し子に対して前記第３部材の先端が基端よりも近い携帯端末。
【請求項６】
請求項２または請求項３に記載の携帯端末において、
前記第１部材に連結された前記第２部材の基端と先端との間の中央部に前記第３部材が連結され、かつ、前記押し子に対して前記第３部材の先端が基端よりも離れている携帯端末。
【請求項７】
請求項２または請求項３に記載の携帯端末において、
前記第１部材に連結された前記第２部材の基端と先端との間の中央部に前記第３部材が連結され、
前記第３部材が前記キーの押し方向に対して略平行であるとともに、前記第２壁部の表面における前記第３部材に対応する位置に凹部が設けられている携帯端末。
【発明の詳細な説明】
【技術分野】
【０００１】
本発明は、筐体の外側に備えた第１壁部と内側に備えた第２壁部とにキーが支持され、第２壁部の内側にスイッチ部材が配置され、キーとスイッチ部材との間に防水部材が配置された携帯端末に関する。
【背景技術】
【０００２】
携帯端末のなかには、筐体の第１壁部に設けられた第１貫通孔にキーが配置され、第２壁部に設けられた第２貫通孔に有底筒状の防水部材が配置され、防水部材にキーの押し子が当接され、第１壁部と第２壁部との間にゴムシートが配置されている（例えば、特許文献１参照）。
特許文献１の携帯端末によれば、キーを操作して押圧することによりゴムシートが弾性変形し、キーから操作力を解除することによりゴムシートの復元力でキーが初期位置に押し戻される。
【先行技術文献】
【特許文献】
【０００３】
【特許文献１】特開2006-344528号公報（要約、段落0026、0029、図３）
【発明の概要】
【発明が解決しようとする課題】
【０００４】
ここで、特許文献１のゴムシートは、ゴムシートの周縁に設けられた孔が筐体に設けられた突起に差し込まれることにより固定される。
このゴムシートは、キーの押し方向に対してキーの平面形状より大きく形成されている。
従って、キーを設置するために必要なスペースが実質的に大きくならざるを得ず、そのことが筐体を薄型化や小型化する上での妨げになっていた。
【０００５】
本発明は、前述した課題を解決するためになされたものであり、その目的は、筐体の薄型化、小型化を妨げない携帯端末を提供することにある。
【課題を解決するための手段】
【０００６】
本発明の携帯端末は、筐体と、前記筐体の外側に配置され、第１貫通孔が設けられた第１壁部と、前記筐体の内側に配置され、第２貫通孔が設けられた第２壁部と、前記第１貫通孔にキー本体が収容されるとともに、前記キー本体に連結されて前記第２貫通孔に押し子が配置されるキーと、前記第２壁部の内側に配置されたスイッチ部材と、前記キーと、前記スイッチ部材との間に配置された防水部材と、を備え、前記防水部材が、有底筒状に形成され、底部が前記押し子の先端に接触するとともに筒部が前記第２貫通孔および前記押し子間に配置される第１部材と、前記第１部材の前記筒部の外側面に設けられ、前記第２貫通孔の内面に密着する止水部と、前記第１部材に連結され、前記キー本体の裏面および前記第２壁部の表面のうちの一方に面当接する第２部材と、前記第２部材に連結され、前記キー本体の裏面および前記第２壁部の表面のうちの他方に対して弾性的に接触する第３部材と、前記第１部材に連結され、前記押し子に係合する第４部材とを有する。
【０００７】
キーとスイッチ部材との間に防水部材を配置し、防水部材の第４部材をキーの押し子に係合させることにより防水部材をキーに位置保持できる。キーの押し子はキー本体の平面形状内に設けられている。
よって、第４部材をキー本体の平面形状内に配置できるので、キー本体の平面形状内で
防水部材の位置保持を行うことができる。
【０００８】
さらに、防水部材の第３部材を、キー本体の裏面および第２壁部の表面のうちの他方に対して弾性的に接触させるようにした。
よって、第３部材をキー本体の平面形状内に配置でき、この第３部材の復元力を利用してキーを初期位置に戻すことができる。
【０００９】
このように、防水部材の位置保持を行う第４部材や、キーを初期位置に戻す第３部材をキー本体の平面形状内に配置できる。
これにより、筐体にキーを設置するためのスペースを従来に比較して小さく抑えることができ、筐体の薄型化、小型化を妨げないようにできる。
【００１０】
また、本発明の携帯端末は、前記第４部材が、前記押し子の周囲を囲む筒状である。
【００１１】
第４部材を押し子の周囲を囲む筒状に形成することにより、押し子に第４部材をより好適に係合させて防水部材にキーを一層確実に位置保持（位置決め）できる。
【００１２】
さらに、本発明の携帯端末は、前記第２部材が前記第２壁部の表面に面当接している。
【００１３】
ここで、キーはキー操作により筐体に対して移動可能な部材であり、第２壁部の表面はキー操作により移動不能な部材である。
これにより、第２壁部の表面に防水部材の第２部材を面当接させることにより、キー本体の裏面に第２部材を面当接させる場合と比較して、筐体に防水部材を一層確実に固定できる。
【００１４】
また、本発明の携帯端末は、前記第３部材が前記第２部材の端部に連結され、かつ、前記押し子に対して前記第３部材の先端が基端よりも離れている。
【００１５】
第３部材の先端を押し子に対して基端よりも離すことにより、第３部材をキーの押し方向に対して傾斜させることができる。
これにより、第３部材を直立させた場合と比較して、第３部材の弾性変形がキー操作に対応させて得やすくなる。
【００１６】
さらに、本発明の携帯端末は、前記第１部材に連結された前記第２部材の基端と先端との間の中央部に前記第３部材が連結され、かつ、前記押し子に対して前記第３部材の先端が基端よりも近い。
【００１７】
第３部材の先端を押し子に対して基端よりも近づけることにより、第３部材をキーの押し方向に対して傾斜させることができる。
これにより、第３部材を直立させた場合と比較して、第３部材の弾性変形がキー操作に対応させて得やすくなる。
【００１８】
また、本発明の携帯端末は、前記第１部材に連結された前記第２部材の基端と先端との間の中央部に前記第３部材が連結され、かつ、前記押し子に対して前記第３部材の先端が基端よりも離れている。
【００１９】
第３部材の先端を押し子に対して基端よりも離すことにより、第３部材をキーの押し方向に対して傾斜させることができる。
これにより、第３部材を直立させた場合と比較して、第３部材の弾性変形がキー操作に対応させて得やすくなる。
【００２０】
さらに、本発明の携帯端末は、前記第１部材に連結された前記第２部材の基端と先端との間の中央部に前記第３部材が連結され、前記第３部材が前記キーの押し方向に対して略平行であるとともに、前記第２壁部の表面における前記第３部材に対応する位置に凹部が設けられている。
【００２１】
第３部材をキーの押し方向に対して略平行に配置することにより直立させた。さらに、第２壁部の表面における第３部材に対応する位置に凹部を設けた。
よって、キーを押し込む際に、第３部材で第２部材を凹部に入り込ませるように弾性変形させることができる。
これにより、第３部材を直立させた場合でも、第２部材の弾性変形がキー操作に対応させて得やすくなる。
【発明の効果】
【００２２】
本発明の携帯端末によれば、防水部材の第４部材をキーの押し子に係合させて防水部材をキーに位置保持可能とし、押し子をキー本体の平面形状内に設けた。
これにより、キー本体の平面形状内で防水部材の位置保持を行うことができるので、筐体の薄型化、小型化を妨げないという効果が得られる。
【図面の簡単な説明】
【００２３】
【図１】本発明に係る第１実施形態の携帯端末を示す斜視図
【図２】図１の携帯端末の要部を示す分解斜視図
【図３】図１のＩ−Ｉ線断面図
【図４】第２実施形態の携帯端末の要部を示す断面図
【図５】第３実施形態の携帯端末の要部を示す断面図
【図６】第４実施形態の携帯端末の要部を示す断面図
【図７】図６の携帯端末の要部を示す分解斜視図
【図８】第５実施形態の携帯端末の要部を示す断面図
【発明を実施するための形態】
【００２４】
以下、本発明の実施形態に係る携帯端末について図面を参照して説明する。
【００２５】
（第１実施形態）
図１に示すように、本発明の第１実施形態である携帯端末１０は、所定厚みを有する平面略矩形状の筐体１２と、筐体１２に収納された表示部１６と、表示部１６を覆う透明な板状部材１７とを備えている。
筐体１２の表面には、上端部１２Ａに通話用受信部１８が設けられ、下端部１２Ｂに操作部１９および通話用送信部２１が設けられている。
【００２６】
図２に示すように、筐体１２の外側に第１壁部１３が配置され、筐体１２の内側に第２壁部１４が配置されている（図１も参照）。
第１壁部１３および第２壁部１４は筐体１２の端面を構成する壁部である。
第１壁部１３に第１貫通孔２３が設けられている。第１貫通孔２３は、後述するキー本体２７が嵌入可能に略矩形状に形成されている。
第１壁部１３の裏面において、第１貫通孔２３の周囲に段部２３Ａが形成されている。
また、第２壁部１４に第２貫通孔２４が設けられている。第２貫通孔２４は、後述する防水部材３１の第１部材３２が嵌入可能に円形状に形成されている。
【００２７】
加えて、携帯端末１０は、図３に示すように、第１貫通孔２３および第２貫通孔２４に配置されたキー２６と、第２壁部１４の内側に配置されたスイッチ部材２９と、キー２６
およびスイッチ部材２９間に配置された防水部材３１とを備えている。
スイッチ部材２９はフレキシブル回路基板３９に設けられている。
【００２８】
キー２６は、第１貫通孔２３に収容されたキー本体２７と、キー本体２７に連結されて第２貫通孔２４に配置された押し子２８とを備えている。
このキー２６は、第１壁部１３および第２壁部１４に設けられたサイドキーである。
キー本体２７は、第１貫通孔２３に突没自在に収容可能に略矩形体状に形成され、裏面２７Ａの周囲にリブ２７Ｂを有する。
【００２９】
リブ２７Ｂは、キー本体２７の裏面２７Ａの周囲から押し子２８の径方向外側に向けて張り出されている。
リブ２７Ｂが第１貫通孔２３の段部２３Ａに当接することにより、キー本体２７の表面２７Ｃが第１壁部１３の外側に僅かに突出した状態に保たれる。
【００３０】
キー本体２７の裏面２７Ａの中央に押し子２８が設けられている。
押し子２８は、キー本体２７の裏面２７Ａ中央から第２貫通孔２４向けて突出された小径部２８Ａと、小径部２８Ａの先端部に設けられた大径部２８Ｂとを有する。
大径部２８Ｂが第２貫通孔２４に同軸上に配置されている。
【００３１】
防水部材３１は、弾性変形可能な部材で形成されている。
この防水部材３１は、第２貫通孔２４に嵌入された第１部材３２と、第１部材３２から膨出された止水部３３と、第１部材３２に連結された第２部材３４と、第２部材３４に連結された第３部材３５と、第１部材３２に連結された第４部材３６とを有する。
【００３２】
第１部材３２は、筒部３２Ａおよび底部３２Ｂで有底筒状に形成されている。
筒部３２Ａは、筒状に形成され、第２貫通孔２４および押し子２８（大径部２８Ｂ）間に配置されている。
【００３３】
底部３２Ｂは、筒部３２Ａの底端に設けられ、内面が押し子２８の先端２８Ｃに接触され、かつ、外面がスイッチ部材２９に接触されている。
すなわち、第１部材３２の内部に押し子２８の大径部２８Ｂが嵌入され、押し子２８の先端２８Ｃが底部３２Ｂを介してスイッチ部材２９に接触されている。
【００３４】
筒部３２Ａの外側面３２Ｃに止水部３３が設けられている。
止水部３３は、筒部３２Ａの外側面３２Ｃから径方向外方に向けて膨出されることにより、第２貫通孔２４の内面２４Ａに密着されている。
これにより、止水部３３および第１部材３２で第２貫通孔２４が塞がれ、第２壁部１４の外側と内側とが止水状態に保たれる。
【００３５】
第１部材３２の上端３２Ｄに第２部材３４が連結されている。
第２部材３４は、第２壁部１４の表面１４Ａに沿って略矩形状に形成されることにより（図２も参照）、第２壁部１４の表面１４Ａに面当接されている。
【００３６】
ここで、キー２６はキー操作により筐体１２に対して移動可能な部材である。一方、第２壁部１４の表面１４Ａはキー操作により移動不能な部材である。
よって、第２壁部１４の表面１４Ａに防水部材３１の第２部材３４を面当接させることにより、第２壁部１４の表面１４Ａ（すなわち、筐体１２）に防水部材３１を確実に固定できる。
【００３７】
第２部材３４の一対の先端３４Ａに第３部材３５がそれぞれ連結されている。
第３部材３５は、第２部材３４の先端（端部）３４Ａに基端３５Ａが設けられ、先端３５Ｂがキー本体２７の裏面２７Ａに移動自在に接触されている。
第３部材３５は、キー２６の操作を許容するように弾性変形可能に設けられている。
【００３８】
第３部材３５の先端３５Ｂをキー本体２７の裏面２７Ａに接触させることにより、第３部材３５をキー本体２７の平面形状内に配置できる。
第３部材３５を弾性変形可能に設けることにより、キー２６を操作した後、第３部材３５の復元力を利用してキー２６を初期位置Ｐ１に戻すことができる。
【００３９】
ここで、第３部材３５の先端３５Ｂは第３部材３５の基端３５Ａよりも押し子２８に対して離れている。
よって、第３部材３５を押し子２８の軸方向（すなわち、キー２６の押し方向）に対して傾斜させることができる。
【００４０】
第３部材３５を傾斜させることにより、第３部材３５をキー２６の押し方向に直立させた場合と比較して、キー２６の操作に対応させて第３部材３５の弾性変形が得やすくなる。
具体的には、キー２６が矢印Ａ方向に押し込まれる際に、キー本体２７の裏面２７Ａに沿って先端３５Ｂが矢印Ｂ方向に移動する。
先端３５Ｂが移動することにより、第３部材３５が基端３５Ａを支点にして矢印Ｃ方向に円滑に弾性変形させることができる。
【００４１】
第１部材３２に第４部材３６が連結され、押し子２８の小径部２８Ａに向けて張り出されている。
第４部材３６は、押し子２８に係合するように、小径部２８Ａの周囲を囲む筒状（円盤状）に形成されている。
第４部材３６の内径寸法が、小径部２８Ａの外径寸法に対して略一致するように形成されている。
【００４２】
このように、キー２６とスイッチ部材２９との間に防水部材３１を配置し、防水部材３１の第４部材３６をキー２６の押し子２８に係合させることにより防水部材３１をキー２６に位置保持（位置決め）できる。
ここで、キー２６の押し子２８はキー本体２７の平面形状内に設けられている。
よって、第４部材３６をキー本体２７の平面形状内に配置できるので、キー本体２７の平面形状内で防水部材３１の位置保持を行うことができる。
【００４３】
さらに、第４部材３６を押し子２８の周囲を囲む筒状に形成することにより、押し子２８の全周に対して第４部材３６を好適に係合させることができる。
これにより、キー２６に防水部材３１を一層確実に位置保持できる。
【００４４】
加えて、第４部材３６の内径寸法が小径部２８Ａの外径寸法に対して略一致するように形成されている。
これにより、キー２６の位置決め（具体的には、押し子２８の径方向に沿った方向へのズレ防止）の効果が一層確実に得られる。
【００４５】
このように、防水部材３１の位置保持を行う第４部材３６や、キー２６を初期位置Ｐ１に戻す第３部材３５をキー本体２７の平面形状内に配置できる。
これにより、筐体１２にキー２６を設置するためのスペースを従来に比較して小さく抑えることができ、筐体１２の薄型化、小型化を妨げないようにできる。
【００４６】
次に、第２実施形態〜第５実施形態を図４〜図８に基づいて説明する。
なお、第２実施形態〜第５実施形態において第１実施形態の携帯端末１０と同一類・似部材については同じ符号を付して説明を省略する。
【００４７】
（第２実施形態）
図４に示す第２実施形態の防水部材５０は、第１実施形態の第２部材３４および第３部材３５を、第２部材５２および第３部材５３に代えたもので、その他の構成は第１実施形態の防水部材３１と同様である。
【００４８】
第２部材５２は、第２壁部１４の表面１４Ａに沿って略矩形状に形成され、先端５２Ａがキー本体２７のリブ２７Ｂまで張り出されている。
よって、第２部材５２は、第１実施形態の第２部材３４より外形が大きく形成されている。
これにより、第２壁部１４の表面１４Ａに第２部材５２を面当接させることにより、第２壁部１４の表面１４Ａ（すなわち、筐体１２）に防水部材５０を一層確実に固定できる。
【００４９】
第２部材５２の基端５２Ｂと先端５２Ａとの間の中央部５２Ｃに第３部材５３が連結されている。
第３部材５３は、第２部材５２の中央部５２Ｃに基端５３Ａが設けられ、先端５３Ｂがキー本体２７の裏面２７Ａに移動自在に接触されている。
第３部材５３は、キー２６の操作を許容するように弾性変形可能に設けられている。
【００５０】
この第３部材５３は、先端５３Ｂが押し子２８に対して基端５３Ａよりも近い位置に配置されることにより、キー２６の押し方向（矢印Ａ方向）に対して傾斜されている。
これにより、第３部材５３を直立させた場合と比較して、キー２６の操作に対応させて第３部材５３の弾性変形が得やすくなる。
【００５１】
さらに、第２実施形態の防水部材５０によれば、第１実施形態の防水部材３１と同様に、第３部材５３や第４部材３６をキー本体２７の平面形状内に配置でき、筐体１２の薄型化、小型化を妨げないようにできる。
【００５２】
（第３実施形態）
図５に示す第３実施形態の防水部材６０は、第２実施形態の第３部材５３を第３部材６３に代えたもので、その他の構成は第２実施形態の防水部材５０と同様である。
【００５３】
第２部材５２の基端５２Ｂと先端５２Ａとの間の中央部５２Ｃに第３部材６３が連結されている。
第３部材６３は、第２部材５２の中央部５２Ｃに基端６３Ａが設けられ、先端６３Ｂがキー本体２７の裏面２７Ａに移動自在に接触されている。
第３部材６３は、キー２６の操作を許容するように弾性変形可能に設けられている。
【００５４】
この第３部材６３は、押し子２８に対して先端６３Ｂが基端６３Ａよりも離れた位置に配置されることにより、キー２６の押し方向（矢印Ａ方向）に対して傾斜されている。
これにより、第２実施形態の防水部材５０と同様に、キー２６の操作に対応させて第３部材６３の弾性変形が得やすくなる。
【００５５】
さらに、第３実施形態の防水部材６０によれば、第１実施形態の防水部材３１と同様に、第３部材６３や第４部材３６をキー本体２７の平面形状内に配置でき、筐体１２の薄型化、小型化を妨げないようにできる。
【００５６】
（第４実施形態）
図６、図７に示す第４実施形態の防水部材７０は、第２実施形態の第３部材５３を第３部材７３に代えたもので、その他の構成は第２実施形態の防水部材５０と同様である。
【００５７】
第２部材５２の基端５２Ｂと先端５２Ａとの間の中央部５２Ｃに第３部材７３が連結されている。
第３部材７３は、第２部材５２の中央部５２Ｃに基端７３Ａが設けられ、先端７３Ｂがキー本体２７の裏面２７Ａに移動自在に接触されている。
この第３部材７３は、キー２６の押し方向（押し子２８の軸方向）に対して略平行に配置され、キー本体２７の裏面２７Ａに向けて直立されている。
【００５８】
ここで、第２壁部１４の表面１４Ａにおける第３部材７３に対応する位置に凹部７４が設けられている。
凹部７４は、底部に対して開口が大きく形成されることにより第２部材５２が入り込みやすく形成されている。
よって、キー２６を矢印Ａ方向に押し込む際に、第３部材７３で第２部材５２を凹部７４に入り込ませるように弾性変形させることができる。
第２部材５２を弾性変形させた状態を想像線で示す。
【００５９】
これにより、第３部材７３を直立させた場合でも、キー２６の操作に対応させて第２部材５２の弾性変形が得やすくなる。
すなわち、第４実施形態の防水部材７０によれば第２実施形態の防水部材５０と同様の効果が得られる。
【００６０】
さらに、第４実施形態の防水部材７０によれば、第１実施形態の防水部材３１と同様に、第３部材７３や第４部材３６をキー本体２７の平面形状内に配置でき、筐体１２の薄型化、小型化を妨げないようにできる。
【００６１】
（第５実施形態）
図８に示す第５実施形態の防水部材９０は、第１実施形態の第３部材３５を第３部材９３に代えたもので、その他の構成は第１実施形態の防水部材３１と同様である。
【００６２】
第３部材９３は、略Ｕ字状に形成され、第２部材３４の先端３４Ａに基端９３Ａが連結され、キー本体２７の裏面２７Ａに移動自在に先端９３Ｂが接触されている。
第３部材９３は、キー２６の操作を許容するように弾性変形可能に設けられている。
【００６３】
このように、第３部材９３を略Ｕ字状に形成することにより、キー２６を矢印Ａ方向に押し込む際に、第１実施形態の防水部材３１と同様に、キー２６の操作に対応させて第３部材９３の弾性変形が得やすくなる。
【００６４】
さらに、第５実施形態の防水部材９０によれば、第１実施形態の防水部材３１と同様に、第３部材９３や第４部材３６をキー本体２７の平面形状内に配置でき、筐体１２の薄型化、小型化を妨げないようにできる。
【００６５】
なお、本発明に係る携帯端末は、前述した実施形態に限定されるものではなく適宜変更、改良等が可能である。
例えば、第１実施形態〜第５実施形態では、キー２６を筐体１２の端部（第１壁部１３および第２壁部１４）に設けたサイドキーとして説明したが、キー２６を筐体１２の他の部位に設けることも可能である。
但し、本発明はキー２６をサイドキーに適用することが特に好ましい。
【００６６】
また、第１実施形態〜第５実施形態で使用した携帯端末、筐体、第１壁部、第２壁部、第１貫通孔、第２貫通孔、キー、スイッチ部材、防水部材、第１部材、止水部、第２部材、第３部材、第４部材および凹部等の形状や構成は例示したものに限定するものではなく適宜変更が可能である。
【産業上の利用可能性】
【００６７】
本発明は、筐体の外側の第１壁部と内側の第２壁部とにキーが支持され、第２壁部の内側にスイッチ部材が配置され、キーとスイッチ部材との間に防水部材が配置された携帯端末への適用に好適である。
【符号の説明】
【００６８】
１０  携帯端末
１２  筐体
１３  第１壁部
１４  第２壁部
１４Ａ  第２壁部の表面
２３  第１貫通孔
２４  第２貫通孔
２４Ａ  第２貫通孔の内面
２６  キー
２７  キー本体
２７Ａ  キー本体の裏面
２８  押し子
２８Ｃ  押し子の先端
２９  スイッチ部材
３１，５０，６０，７０，９０  防水部材
３２  第１部材
３２Ａ  筒部
３２Ｂ  底部
３２Ｃ  筒部の外側面
３３  止水部
３４，５２  第２部材
３４Ａ  第２部材の先端（端部）
３５，５３，６３，７３，９３  第３部材
３５Ａ  第３部材の基端
３５Ｂ  第３部材の先端
３６  第４部材
５２Ａ  第２部材の先端
５２Ｂ  第２部材の基端
５２Ｃ  第２部材の中央部
５３Ａ，６３Ａ，７３Ａ，９３Ａ  第３部材の基端
５３Ｂ，６３Ｂ，７３Ｂ，９３Ｂ  第３部材の先端
７４，８４  凹部
【図１】
2013054994.tif 000003
【図２】
2013054994.tif 000004
【図３】
2013054994.tif 000005
【図４】
2013054994.tif 000006
【図５】
2013054994.tif 000007
【図６】
2013054994.tif 000008
【図７】
2013054994.tif 000009
【図８】
2013054994.tif 000010